【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
ポンプ光源によって放射されるポンプ光を用いて、第１の波長と第２の波長とを有するレーザ光を選択的に放射するためのチューナブルレーザの空洞部であって、当該チューナブルレーザの空洞部が、
光共振器であって、当該光共振器中で前記第１の波長を有する前記レーザ光の第１の往復時間が、前記光共振器中で前記第２の波長を有する前記レーザ光の第２の往復時間と異なるような構成、光学特性及び寸法を有する光共振器と、
当該光共振器中に挿入され、前記ポンプ光を前記レーザ光に変換すべく前記ポンプ光に応答するゲイン媒体と、
前記ポンプ光を受け取り、前記ポンプ光を前記ゲイン媒体に伝えるべく前記ゲイン媒体に光学接続されるポンプ光入力ポートと、
前記レーザ光が前記光共振器中で往復して伝播する際に、前記レーザ光の一部を吸収すべく前記光共振器に挿入され、変調期間に変調される光吸収係数を有し、前記変調期間が第１の変調期間の値と第２の変調期間の値との間で選択的に調整でき、前記第１及び第２の往復時間が、各々の前記第１及び第２の変調期間の値の整数倍と、それぞれが実質的に等しい光強度変調器と、
前記レーザ光を前記光共振器から放出するための出力ポートと、
を具え、これによって、前記ゲイン媒体が前記ポンプ光によりポンピングされる場合に、前記第１の変調期間の値で前記光強度変調器を変調することにより、前記第１の波長を有するレーザ光が生成され、前記第２の変調期間の値で前記光強度変調器を変調することにより、前記第２の波長を有するレーザ光が生成されることを特徴とするチューナブルレーザの空洞部。
【請求項２】
請求項１に記載のチューナブルレーザの空洞部において、前記ゲイン媒体が、ゲイン媒体の第１の端部と、実質的に対向するゲイン媒体の第２の端部とを規定し、前記光共振器が第１の反射器と第２の反射器とを含み、前記第１及び第２の反射器がそれぞれ、第１及び第２の波長の双方で反射し、前記第１及び第２の反射器が、それぞれ前記ゲイン媒体の第１及び第２の端部を通って、前記ゲイン媒体に光学接続されることを特徴とするチューナブルレーザの空洞部。
【請求項３】
請求項２に記載のチューナブルレーザの空洞部において、前記第１の反射器が前記第１及び第２の波長を有する前記レーザ光をそれぞれ反射するための、第１の反射器の第１の部分と第１の反射器の第２の部分とを含み、当該第１の反射器の第１及び第２の部分がそれぞれ、第１の反射器の第１の部分ないしゲイン媒体の距離だけ、及び、第１の反射器の第２の部分ないしゲイン媒体の距離だけ前記ゲイン媒体の第１の端部から隔てられ、前記第１の反射器の第１の部分ないしゲイン媒体の距離が、前記第１の反射器の第２の部分ないしゲイン媒体の距離より短く、前記第１の反射器の第１の部分が前記第２の波長を伝えることを特徴とするチューナブルレーザの空洞部。
【請求項４】
請求項３に記載のチューナブルレーザの空洞部において、前記第２の反射器が、前記ゲイン媒体の第２の端部から実質的に同一の第２の反射器ないしゲイン媒体の距離に、前記第１及び第２の波長の双方を有する前記レーザ光を反射することを特徴とするチューナブルレーザの空洞部。
【請求項５】
請求項３に記載のチューナブルレーザの空洞部において、前記第２の反射器が前記第１及び第２の波長を有する前記レーザ光をそれぞれ反射するための、第２の反射器の第１の部分と第２の反射器の第２の部分とを含み、前記第２の反射器の第１及び第２の部分がそれぞれ、第２の反射器の第１の部分ないしゲイン媒体の距離だけ、及び第２の反射器の第２の部分ないしゲイン媒体の距離だけ前記ゲイン媒体の第２の端部から隔てられ、前記第２の反射器の第１の部分ないしゲイン媒体の距離が前記第２の反射器の第２の部分ないしゲイン媒体の距離より小さく、前記第２の反射器の第１の部分が前記第２の波長を伝えることを特徴とするチューナブルレーザの空洞部。
【請求項６】
請求項３に記載のチューナブルレーザの空洞部において、前記第１の反射器がファイバブラッググレーティングを含むことを特徴とするチューナブルレーザの空洞部。
【請求項７】
請求項３に記載のチューナブルレーザの空洞部において、前記第１の反射器の第１及び第２の部分がそれぞれ、第１のファイバブラッググレーティング部分と第２のファイバブラッググレーティング部分とを含むことを特徴とするチューナブルレーザの空洞部。
【請求項８】
請求項７に記載のチューナブルレーザの空洞部において、
前記ゲイン媒体が前記第１の波長で第１のゲイン、及び前記第２の波長で第２のゲインを有し、前記第１及び第２のゲインが相互に異なり、
前記第１及び第２のファイバブラッググレーティング部分がそれぞれ、第１の部分反射性と第２の部分反射性とを有し、前記第１及び第２の部分反射性は前記チューナブルレーザの空洞部が前記第１及び第２の波長の双方で実質的に一定ゲインを有する程度であることを特徴とするチューナブルレーザの空洞部。
【請求項９】
請求項６に記載のチューナブルレーザの空洞部において、前記第１の反射器の第１及び第２の部分がぞれぞれ、各々のチャープファイバブラッググレーティング部分を含むことを特徴とするチューナブルレーザの空洞部。
【請求項１０】
請求項６に記載のチューナブルレーザの空洞部において、前記第１の反射器の第１及び第２の部分がそれぞれ、チャープファイバブラッググレーティングの一部であることを特徴とするチューナブルレーザの空洞部。
【請求項１１】
請求項６に記載のチューナブルレーザの空洞部において、前記第１の波長が前記第２の波長より短いことを特徴とするチューナブルレーザの空洞部。
【請求項１２】
請求項６に記載のチューナブルレーザの空洞部において、前記第１の波長が前記第２の波長より長いことを特徴とするチューナブルレーザの空洞部。
【請求項１３】
請求項１に記載のチューナブルレーザの空洞部において、
前記ゲイン媒体が、ゲイン媒体の第１の端部と、実質的に対向するゲイン媒体の第２の端部とを規定し、
前記光共振器が反射器と光サーキュレータとを含み、当該光サーキュレータがサーキュレータの第１のポートと、サーキュレータの第２のポートと、サーキュレータの第３のポートとを含み、前記光サーキュレータは、前記サーキュレータの第１のポートに入射する前記レーザ光が前記サーキュレータの第２のポートで放射されるように構成され、前記サーキュレータの第２のポートに入射する前記レーザ光が前記サーキュレータの第３のポートで放射され、前記サーキュレータの第３のポートに入射する前記レーザ光が前記サーキュレータの第１のポートで放射され、前記サーキュレータの第１のポートが前記ゲイン媒体の第１の端部を通って前記ゲイン媒体に光学接続され、前記サーキュレータの第２のポートが前記反射器に光学接続され、前記サーキュレータの第３のポートが前記ゲイン媒体の第２の端部を通って前記ゲイン媒体に光学接続され、
前記反射器が前記第１及び第２の波長を有する前記レーザ光をそれぞれ反射するための、反射器の第１の部分と反射器の第２の部分とを含み、前記反射器の第１及び第２の部分がそれぞれ、反射器の第１の部分ないしサーキュレータの距離だけ、及び反射器の第２の部分ないしサーキュレータの距離だけ前記サーキュレータの第２のポートから相隔たれ、前記反射器の第１の部分ないしサーキュレータの距離が前記反射器の第２の部分ないしサーキュレータの距離より短く、前記反射器の第１の部分が前記第２の波長を伝えることを特徴とするチューナブルレーザの空洞部。
【請求項１４】
請求項１３に記載のチューナブルレーザの空洞部において、前記反射器の第１及び第２の部分がぞれぞれ、各々のファイバブラッググレーティング部分を含むことを特徴とするチューナブルレーザの空洞部。
【請求項１５】
請求項２に記載のチューナブルレーザの空洞部において、前記第１の反射器が前記ゲイン媒体から前記レーザ光を受け取り、前記ゲイン媒体に前記レーザ光を戻すための光サーキュレータを含むことを特徴とするチューナブルレーザの空洞部。
【請求項１６】
請求項２に記載のチューナブルレーザの空洞部において、前記第１の反射器がチャープファイバブラッググレーティングを含み、当該チャープファイバブラッググレーティングが、２の実質的に長手方向に隔てられた位置で前記第１及び第２の波長を反射し、前記チャープファイバブラッググレーティングに沿った長手方向の位置の関数として前記チャープファイバブラッググレーティングによって反射された波長を特徴づける所定の同調曲線の関数として、前記変調期間を選択的に制御するためのコントローラを、前記チューナブルレーザの空洞部が更に具えることを特徴とするチューナブルレーザの空洞部。
【請求項１７】
請求項２に記載のチューナブルレーザの空洞部において、前記第１の反射器がチャープファイバブラッググレーティングを含み、当該チャープファイバブラッググレーティングが、２の実質的に長手方向に隔てられた位置で前記第１及び第２の波長を反射し、前記チャープファイバブラッググレーティングがそれに沿って可変性の群遅延を規定し、これによって、前記レーザ光の波長を変更することにより異なるパルス波形特性を有するレーザ光のパルスが生成されることを特徴とするチューナブルレーザの空洞部。
【請求項１８】
請求項１７に記載のチューナブルレーザの空洞部において、前記パルス波形特性が前記レーザ光のパルスの持続時間を含むことを特徴とするチューナブルレーザの空洞部。
【請求項１９】
請求項１に記載のチューナブルレーザの空洞部において、前記光強度変調器が電気光学変調器を含むことを特徴とするチューナブルレーザの空洞部。
【請求項２０】
請求項１に記載のチューナブルレーザの空洞部において、前記光強度変調器が可変型の減衰変調器を含むことを特徴とするチューナブルレーザの空洞部。
【請求項２１】
請求項１に記載のチューナブルレーザの空洞部において、前記ゲイン媒体がドープ型のゲインファイバを含むことを特徴とするチューナブルレーザの空洞部。
【請求項２２】
請求項１に記載のチューナブルレーザの空洞部において、前記光共振器、前記ゲイン媒体及び前記光強度変調器が総て偏光維持するものであることを特徴とするチューナブルレーザの空洞部。
【請求項２３】
請求項２２に記載のチューナブルレーザの空洞部が、前記レーザ光を偏光すべく前記光共振器中に挿入された偏光子を更に具えることを特徴とするチューナブルレーザの空洞部。
【請求項２４】
請求項２に記載のチューナブルレーザの空洞部において、
前記レーザ光がレーザ光のパルスを含み、当該レーザ光のパルスがパルスのスペクトルを規定し、
前記第１の反射器がチャープファイバブラッググレーティングを含み、当該チャープファイバブラッググレーティングが、２の長手方向に隔てられた位置で前記第１及び第２の波長を反射し、前記チャープファイバブラッググレーティングが群遅延の比率に対する群遅延波形を規定し、当該群遅延の比率に対する群遅延波形が比スペクトルを規定し、
前記パルスのスペクトル及び前記比スペクトルが相互に実質的に独立であることを特徴とするチューナブルレーザの空洞部。
【請求項２５】
請求項１に記載のチューナブルレーザの空洞部において、前記出力ポートが前記光共振器から前記レーザ光を選択的に放出し、前記光共振器中の前記レーザ光を限定するための光スイッチを含むことを特徴とするチューナブルレーザの空洞部。
【請求項２６】
第１の波長と第２の波長とを有するレーザ光を選択的に放射するためのチューナブルレーザであって、当該チューナブルレーザが、
ポンプ光を放射するためのポンプ光源と、
光共振器であって、当該光共振器中で前記第１の波長を有する前記レーザ光の第１の往復時間が、前記光共振器中で前記第２の波長を有する前記レーザ光の第２の往復時間と異なるような構成、光学特性及び寸法を有する光共振器と、
当該光共振器中に挿入され、前記ポンプ光源に光学接続され、前記ポンプ光を前記レーザ光に変換すべく前記ポンプ光に応答するゲイン媒体と、
前記レーザ光が前記光共振器中で往復して伝播する際に、前記レーザ光の一部を吸収すべく前記光共振器に挿入され、変調期間に変調される光吸収係数を有し、前記変調期間が第１の変調期間の値と第２の変調期間の値との間で選択的に調整でき、前記第１及び第２の往復時間が、各々の前記第１及び第２の変調期間の値の整数倍と、それぞれが実質的に等しい光強度変調器と、
前記レーザ光を前記光共振器から放出するための出力ポートと、
を具え、これによって、前記ゲイン媒体が前記ポンプ光によりポンピングされる場合に、前記第１の変調期間の値で前記光強度変調器を変調することにより、前記第１の波長を有するレーザ光が生成され、前記第２の変調期間の値で前記光強度変調器を変調することにより、前記第２の波長を有するレーザ光が生成されることを特徴とするチューナブルレーザ。
【手続補正２】
【補正対象書類名】明細書
【補正対象項目名】０００４
【補正方法】変更
【補正の内容】
【０００４】
チューナブルモードロックレーザを生成するために、２０００年７月１８日発行の米国特許第６，０９１，７４４号においてＳｏｒｉｎらは、１の端部が、互いに長手方向に隔たれた複数のファイバブラッググレーティングを含み、各ファイバブラッググレーティングがそれぞれの波長で反射するレーザを用いることを提唱した。チューナブルフィルタはレーザ空洞中に挿入される。チューナブルフィルタを用いて特定の波長を選択することによって、反射は１の特定のファイバブラッググレーティングで生じ、別個の段階での波長の選択を提供する。このようなレーザは、特定の波長が異なるチャネル上で情報を伝えるべく用いられる電気通信のアプリケーションで都合が良いことが示されてきた。しかしながら、これらの機構はチューナブルフィルタの使用を要求し、従って比較的高価になる。更に、チューナブルフィルタは一般的に比較的脆弱な構成であり、従って得られたレーザはあまり堅固ではない。更には、このレーザは波長を連続調整できず、多くのアプリケーションにおいて弱点となりうる。
【手続補正３】
【補正対象書類名】明細書
【補正対象項目名】００２２
【補正方法】変更
【補正の内容】
【００２２】
本発明のいくつかの実施形態においては、連続的にではなく、段階的に変調期間を変えることが、特に有利であると知られている。実際に、レーザは動作の際に、所定の波長でロックされる傾向を有する。実質的に連続的な方法で、第１の変調期間の値から第２の変調期間の値に変調期間を変化させることにより不安定性を引き起こされ、更には、第２の波長をロックする面倒なモードを助長する。別個の段階で変調期間を変化させることによって、調整が、共通に利用可能な構成を用いて迅速に引き起される。
【手続補正４】
【補正対象書類名】図面
【補正対象項目名】図７
【補正方法】変更
【補正の内容】
【図７】
2010536164.tif 000001